(57)【要約】      （修正有）【課題】雨風の侵入の防止を図った屋外用古紙回収装置を提供する。【解決手段】屋外用古紙回収装置Ｃは、内部に古紙収納部１ａを有した本体１と、この本体１の正面に古紙の投入口である略横長矩形形状の古紙投入口部２と、この古紙投入口部２を開閉するシャッター３とを備えている。屋外用古紙回収装置を屋外に設置した場合、本体は正面の略横長矩形形状の古紙投入口部を除いた周囲の部位は、覆われているため、本体内への雨の侵入を防ぐと共に、古紙収納部内の古紙が風により本体外へ飛散されることを防止することができる。【選択図】図１
2012051728.tif 000002
【特許請求の範囲】
【請求項１】
内部に古紙収納部を有した本体と、
この本体の正面に古紙の投入口である略横長矩形形状の古紙投入口部と、
この古紙投入口部を開閉するシャッターと、
を備えていることを特徴とする屋外用古紙回収装置。
【請求項２】
シャッターは電動モーターにより昇降するものであり、
前記電動モーターを制御する制御機器及び前記電動モーターの駆動源は、本体の外に設けられ、
前記本体内に設けられた前記電動モーターと前記本体の外に設けられた前記駆動源とは、駆動用リード線により接続され、
前記本体内に設けられた前記電動モーターと前記制御機器とは、制御用リード線により接続され、
前記駆動用リード線及び前記制御用リード線の中途にコネクターが介在され、
前記制御機器及び前記電動モーターの駆動源と前記本体とは前記コネクターを介して分離可能とする
ことを特徴とする請求項１記載の屋外用古紙回収装置。
【請求項３】
シャッターは電動モーターにより昇降するものであり、
略横長矩形形状の古紙投入口部は、下縁部、右縁部、上縁部、左縁部からなるもので
あり、
前記下縁部の上面を覆う覆い部材は、前記下縁部の素材より柔らかい素材で形成され
、
前記シャッターの下端の略全幅に亘ってクッション部材が取り付けられ、このクッシ
ョン部材は、前記シャッターの素材より柔らかい素材で形成されている
ことを特徴とする請求項１記載の屋外用古紙回収装置。
【請求項４】
本体は、略直方体形状をなし、正面部、右側面部、左側面部、底面部、背面部、天井
面部とからなり、
シャッターは、電動モーターにより昇降するものであり、
前記電動モーターの駆動源は、バッテリーであり、
前記バッテリーは、バッテリー収納部に収納され、
このバッテリー収納部は、前記右側面部、前記左側面部の内、何れか一方の側面部か
ら前記本体の内方に張り出す張出部内であって、前記一方の側面部から突出しないように
設けられている
ことを特徴とする請求項１記載の屋外用古紙回収装置。
【請求項５】
本体は、略直方体形状をなし、正面部、右側面部、左側面部、底面部、背面部、天井
面部とからなり、
シャッターは、電動モーターにより昇降するものであり、
前記右側面部、前記左側面部の内、何れか一方の側面部に垂直方向に略平行に第１、
第２の垂直リブが設けられ、
水平方向であって、前記第１の垂直リブと前記第２の垂直リブとを接続する水平リブ
が設けられ、
前記一方の側面部の前記水平リブの上であって、前記水平リブより突出する被係止部
が設けられ、
この被係止部は、車両に設けられたフックに係止されるものであり、
前記電動モーターの駆動源は、バッテリーであり、
前記バッテリーは、開閉自在な蓋を備えた箱体で形成されたバッテリー収納部に収納
され、このバッテリー収納部は、前記第１の垂直リブと前記第２の垂直リブと前記水平リ
ブとで囲まれた前記一方の側面部から前記本体の内方に張り出す張出部内であって、前記
第１の垂直リブ、前記第２の垂直リブ及び前記水平リブから突出しないように設けられて
いる
ことを特徴とする請求項１記載の屋外用古紙回収装置。
【請求項６】
バッテリー収納部は、開閉する蓋を備えた箱体に収納され、
張出部内の底部に複数の突起が設けられ、
この複数の突起の上に前記箱体が載置され、
前記箱体の前記蓋の閉時、前記蓋が第１の垂直リブ、第２の垂直リブ及び水平リブか
ら突出しないように設けられている
ことを特徴とする請求項５記載の屋外用古紙回収装置。
【請求項７】
本体は、略直方体形状をなし、正面部、右側面部、左側面部、底面部、背面部、天井
面部とからなり、
前記天井面部の前記正面部に近い側にシャッターを巻き取る巻取部を収納する巻取部
収納体が設けられ、
前記正面部の高さは前記背面部の高さより高く、前記天井面部は前記天井面部の前
記正面部に近い側から前記天井面部の前記正面部に遠い側に向かって下がるように傾斜し
ている
ことを特徴とする請求項１記載の屋外用古紙回収装置。
【請求項８】
シャッターは電動モーターにより昇降するものであり、
タイマーにより、設定された時間に前記電動モーターを動作させ、前記シャッターを
上昇させて古紙投入口部を開とし、この古紙投入口部の開状態を所定時間保持し、該所定
時間経過後、前記電動モーターを動作させ、前記シャッターを下降させて前記古紙投入口
部を閉とする制御手段を設けた、
ことを特徴とする請求項１記載の屋外用古紙回収装置。
【請求項９】
本体は、略直方体形状をなし、正面部、右側面部、左側面部、底面部、背面部、天井
面部とからなり、
シャッターは、電動モーターにより昇降するものであり、
前記右側面部、左側面部の内、何れか一方の側面部に垂直方向に略平行に第１、第２
の垂直リブが設けられ、
水平方向であって、前記第１の垂直リブと前記第２の垂直リブとを接続する水平リブ
が設けられ、
前記水平リブの上であって、前記水平リブより突出する被係止部が設けられ、
この被係止部は、車両に設けられたフックに係止されるものであり、
前記電動モーターの駆動源は、商用電源であり、前記電動モーターは、制御機器によ
り制御され、
前記制御機器は、開閉自在な蓋を備えた箱体で形成された制御機器収納部に収納され
、
この制御機器収納部は、前記第１の垂直リブと前記第２の垂直リブと前記水平リブ
とで囲まれた前記一方の側面部から前記本体の内方に張り出す張出部内であって、前記第
１の垂直リブ、前記第２の垂直リブ及び前記水平リブから突出しないように設けられてい
る
ことを特徴とする請求項１記載の屋外用古紙回収装置。
【請求項１０】
制御機器は、電動モーターの動作時間を制御するタイマー、前記電動モーターの動作
を停止するスイッチである
ことを特徴とする請求項９記載の屋外用古紙回収装置。
【発明の詳細な説明】
【技術分野】
【０００１】
本発明は、屋外用古紙回収装置に係り、特に、雨風の侵入の防止を図った屋外用古紙
回収装置に関する。
【背景技術】
【０００２】
従来、各家庭で生じる新聞、雑誌、段ボール等の古紙は、自治体、町内会、ＰＴＡ等
により、予め決められた日時に回収が進められている。
そのため、古紙を廃棄したいにもかかわらず、回収日までに相当の日数がある場合、
又は、回収の日時を忘れ、次の回収日までに相当の日数がある場合、多量の古紙が各家庭
に溜まってしまうという問題点が生じる。
かかる場合、日常使用するスーパー等の屋外に、コンテナ（例えば、特許文献１参照
）を古紙回収用として、常時、設置して回収できるようにして、上記問題点を解消するこ
とができる。
即ち、上記コンテナは、天井面が開口し、内部に収納部を有した略直方体形状で、前
記開口を天蓋で開閉するようにしたもので、上記コンテナをスーパー等の屋外に設置し、
天蓋を傾斜させて、古紙を上記コンテナ内に投入できるようにするものである。
【先行技術文献】
【特許文献】
【０００３】
【特許文献１】特開２００３−３４１７８５号公報
【発明の概要】
【発明が解決しようとする課題】
【０００４】
ところが、上記コンテナを、屋外に設置してみると、天蓋が傾斜しているため、傾斜
した天蓋の周囲から雨風が侵入し、コンテナ内の古紙が濡れたり、コンテナ内の古紙が風
により外へ飛散するという新たな問題点が生じた。
【０００５】
本発明は、上記の問題点の改善を図った屋外用古紙回収装置を提供することを目的と
する。
【課題を解決するための手段】
【０００６】
請求項１記載の屋外用古紙回収装置は、内部に古紙収納部を有した本体と、この本体
の正面に古紙の投入口である略横長矩形形状の古紙投入口部と、この古紙投入口部を開閉
するシャッターとを備えているものである。
【０００７】
また、請求項２記載の屋外用古紙回収装置は、請求項１記載の屋外用古紙回収装置において、シャッターは電動モーターにより昇降するものであり、前記電動モーターを制御する制御機器及び前記電動モーターの駆動源は、本体の外に設けられ、前記本体内に設けられた前記電動モーターと前記本体の外に設けられた前記駆動源とは、駆動用リード線により接続され、前記本体内に設けられた前記電動モーターと前記制御機器とは、制御用リード線により接続され、前記駆動用リード線及び前記制御用リード線の中途にコネクターが介在され、前記制御機器及び前記電動モーターの駆動源と前記本体とは前記コネクターを介して分離可能とするものである。
【０００８】
また、請求項３記載の屋外用古紙回収装置は、請求項１記載の屋外用古紙回収装置に
おいて、シャッターは電動モーターにより昇降するものであり、略横長矩形形状の古紙投
入口部は、下縁部、右縁部、上縁部、左縁部からなるものであり、前記下縁部の上面を覆
う覆い部材は、前記下縁部の素材より柔らかい素材で形成され、前記シャッターの下端の
略全幅に亘ってクッション部材が取り付けられ、このクッション部材は、前記シャッター
の素材より柔らかい素材で形成されているものである。
【０００９】
また、請求項４記載の屋外用古紙回収装置は、請求項１記載の屋外用古紙回収装置に
おいて、本体は、略直方体形状をなし、正面部、右側面部、左側面部、底面部、背面部、
天井面部とからなり、シャッターは、電動モーターにより昇降するものであり、前記電動
モーターの駆動源は、バッテリーであり、前記バッテリーは、バッテリー収納部に収納さ
れ、このバッテリー収納部は、前記右側面部、前記左側面部の内、何れか一方の側面部か
ら前記本体の内方に張り出す張出部内であって、前記一方の側面部から突出しないように
設けられているものである。
【００１０】
また、請求項５記載の屋外用古紙回収装置は、請求項１記載の屋外用古紙回収装置に
おいて、本体は、略直方体形状をなし、正面部、右側面部、左側面部、底面部、背面部、
天井面部とからなり、シャッターは、電動モーターにより昇降するものであり、前記右側
面部、前記左側面部の内、何れか一方の側面部に垂直方向に略平行に第１、第２の垂直リ
ブが設けられ、水平方向であって、前記第１の垂直リブと前記第２の垂直リブとを接続す
る水平リブが設けられ、前記一方の側面部の前記水平リブの上であって、前記水平リブよ
り突出する被係止部が設けられ、この被係止部は、車両に設けられたフックに係止される
ものであり、前記電動モーターの駆動源は、バッテリーであり、前記バッテリーは、開閉
自在な蓋を備えた箱体で形成されたバッテリー収納部に収納され、このバッテリー収納部
は、前記第１の垂直リブと前記第２の垂直リブと前記水平リブとで囲まれた前記一方の側
面部から前記本体の内方に張り出す張出部内であって、前記第１の垂直リブ、前記第２の
垂直リブ及び前記水平リブから突出しないように設けられているものである。
【００１１】
また、請求項６記載の屋外用古紙回収装置は、請求項５記載の屋外用古紙回収装置に
おいて、バッテリー収納部は、開閉する蓋を備えた箱体に収納され、張出部内の底部に複
数の突起が設けられ、この複数の突起の上に前記箱体が載置され、前記箱体の前記蓋の閉
時、前記蓋が第１の垂直リブ、第２の垂直リブ及び水平リブから突出しないように設けら
れているものである。
【００１２】
また、請求項７記載の屋外用古紙回収装置は、請求項１記載の屋外用古紙回収装置に
おいて、本体は、略直方体形状をなし、正面部、右側面部、左側面部、底面部、背面部、
天井面部とからなり、前記天井面部の前記正面部に近い側にシャッターを巻き取る巻取部
を収納する巻取部収納体が設けられ、前記正面部の高さは前記背面部の高さより高く、  
前記天井面部は前記天井面部の前記正面部に近い側から前記天井面部の前記正面部に遠い
側に向かって下がるように傾斜しているものである。
【００１３】
また、請求項８記載の屋外用古紙回収装置は、請求項１記載の屋外用古紙回収装置に
おいて、シャッターは電動モーターにより昇降するものであり、タイマーにより、設定さ
れた時間に前記電動モーターを動作させ、前記シャッターを上昇させて古紙投入口部を開
とし、この古紙投入口部の開状態を所定時間保持し、該所定時間経過後、前記電動モータ
ーを動作させ、前記シャッターを下降させて前記古紙投入口部を閉とする制御手段を設け
たものである。
【００１４】
また、請求項９記載の屋外用古紙回収装置は、請求項１記載の屋外用古紙回収装置に
おいて、本体は、略直方体形状をなし、正面部、右側面部、左側面部、底面部、背面部、
天井面部とからなり、シャッターは、電動モーターにより昇降するものであり、前記右側
面部、左側面部の内、何れか一方の側面部に垂直方向に略平行に第１、第２の垂直リブが
設けられ、水平方向であって、前記第１の垂直リブと前記第２の垂直リブとを接続する水
平リブが設けられ、前記水平リブの上であって、前記水平リブより突出する被係止部が設
けられ、この被係止部は、車両に設けられたフックに係止されるものであり、前記電動モ
ーターの駆動源は、商用電源であり、前記電動モーターは、制御機器により制御され、前
記制御機器は、開閉自在な蓋を備えた箱体で形成された制御機器収納部に収納され、この
制御機器収納部は、前記第１の垂直リブと前記第２の垂直リブと前記水平リブとで囲まれ
た前記一方の側面部から前記本体の内方に張り出す張出部内であって、前記第１の垂直リ
ブ、前記第２の垂直リブ及び前記水平リブから突出しないように設けられているものであ
る。
【００１５】
また、請求項１０記載の屋外用古紙回収装置は、請求項９記載の屋外用古紙回収装置に
おいて、制御機器は、電動モーターの動作時間を制御するタイマー、前記電動モーターの
動作を停止するスイッチである。
【発明の効果】
【００１６】
請求項１記載の屋外用古紙回収装置によれば、屋外用古紙回収装置をスーパーの駐車
場等の屋外に設置した場合、本体は正面の略横長矩形形状の古紙投入口部を除いた周囲の
部位は、覆われているため、本体内への雨の侵入を防ぐと共に、古紙収納部内の古紙が風
により本体外へ飛散されることを防止することができ、好適な屋外用古紙回収装置を得る
ことができる。
【００１７】
また、請求項２記載の屋外用古紙回収装置によれば、上述した請求項１記載の発明の効果に加え、駆動用リード線及び制御用リード線の中途にコネクターが介在され、制御機器及び電動モーターの駆動源と本体とは前記コネクターを介して分離可能とすることができるため、本体毎に御機機器及び電動モーターの駆動源を収納する必要がなく、御機機器及び電動モーターの駆動源を共用することができ、しかも、本体を車両で搬送する際、制御機器等の損傷をも防ぐことができる。
【００１８】
また、請求項３記載の屋外用古紙回収装置によれば、上述した請求項１記載の発明の
効果に加え、古紙投入口の下縁部とシャッターの下端とで体の部位、例えば、指が挟まれ
ても、覆い部材及びクッション部材が共に、柔らかい素材で形成されているため、衝撃が
緩和されると共に、覆い部材とクッション部材に挟まれても、挟まれた部位を容易に離脱
することができる。
【００１９】
また、請求項４記載の屋外用古紙回収装置によれば、上述した請求項１記載の発明の
効果に加え、バッテリー収納部は、右側面部、左側面部の内、何れか一方の側面部から本
体の内方に張り出す張出部内であって、前記一方の側面部から突出しないように設けられ
ているため、屋外用古紙回収装置を車両で搬送する際、バッテリー収納部の損傷を防ぐこ
とができる。
【００２０】
また、請求項５記載の屋外用古紙回収装置によれば、上述した請求項１記載の発明の
効果に加え、開閉自在な蓋を備えた箱体で形成されたバッテリー収納部は、右側面部、左
側面部の内、何れか一方の側面部から本体の内方に張り出す張出部内であって、第１の垂
直リブ、第２の垂直リブ及び水平リブから突出しないように設けられているため、バッテ
リーの設置、取り外し、点検等にあっては、本体内に入らなくても、蓋を開けて行うこと
ができ作業性が良く（バッテリー収納部が本体内であれば、本体内の古紙を本体の外へ運
び出す作業を伴う。）、しかも、車両で搬送する際、バッテリー収納部の損傷を防ぐこと
ができ、更に、バッテリー収納部は、右側面部、左側面部の内、何れか一方の側面部から
本体の内方に張り出すため、一方の側面部が強度的に弱くなるが、第１の垂直リブ、第２
の垂直リブ及び水平リブにより、一方の側面部の強度を補強することができる。
【００２１】
また、請求項６記載の屋外用古紙回収装置によれば、上述した請求項５記載の発明の
効果に加え、バッテリー収納部を収納した箱体の蓋は、蓋の閉時、第１の垂直リブ、第２
の垂直リブ及び水平リブから突出しないように設けられているため、車両で搬送する際、
バッテリー収納部の損傷を防ぐことができ、箱体が複数の突起の上に載置されている分、
雨水が箱体内部へ侵入するのを防ぐことができる。
【００２２】
また、請求項７記載の屋外用古紙回収装置によれば、上述した請求項１記載の発明の
効果に加え、天井面部の正面部に近い側にシャッターを巻き取る巻取部を収納する巻取部
収納体が設けられ、正面部の高さは背面部の高さより高く、天井面部は天井面部の正面部
に近い側から天井面部の正面部に遠い側に向かって下がるように傾斜しているため、天井
面部への雨水は、背面部側に向かって流れ、しかも、巻取部収納体が雨風を遮るため、古
紙投入口部へ投入する投入者へ雨風があたるのを防ぐことができる。
【００２３】
また、請求項８記載の屋外用古紙回収装置によれば、上述した請求項１記載の発明の
効果に加え、古紙投入口部のシャッターによる開閉を制御手段により、自動的に開閉する
ため、設置された機器の管理の負担の軽減化を図ることができ、特に、夜間、電動モータ
ーを動作させ、シャッターを下降させることにより、古紙投入口部から火が投入されるこ
とを容易に防止することができる。
【００２４】
また、請求項９記載の屋外用古紙回収装置によれば、上述した請求項１記載の発明の
効果に加え、開閉自在な蓋を備えた箱体で形成された制御機器収納部は、一方の側面部か
ら本体の内方に張り出す張出部内であって、第１の垂直リブ、第２の垂直リブ及び水平リ
ブから突出しないように設けられているため、制御機器の点検にあっては、本体内に入ら
なくても、蓋を開けて行うことができ作業性が良く（制御機器収納部が本体内であれば、
本体内の古紙を本体の外へ運び出す作業を伴う。）、しかも、車両で搬送する際、制御機
器収納部の損傷を防ぐことができ、更に、制御機器収納部は、一方の側面部から本体の内
方に張り出すため、一方の側面部が強度的に弱くなるが、第１の垂直リブ、第２の垂直リ
ブ及び水平リブにより、一方の側面部の強度を補強することができる。
【図面の簡単な説明】
【００２５】
【図１】図１は、本発明の一実施例の屋外用古紙回収装置の概略的斜視図である。
【図２】図２は、図１の屋外用古紙回収装置の概略的分解斜視図である。
【図３】図３は、図１の屋外用古紙回収装置の概略的正面図である。
【図４】図４は、図３の矢印Ａ方向から見た屋外用古紙回収装置の内部構造の概略的斜視図である。
【図５】図５は、図１の屋外用古紙回収装置の概略的断面図である。
【図６】図６（ａ）は、図５の屋外用古紙回収装置のシャッターが降下している状態の概略的断面図であり、図６（ｂ）は、図６（ａ）のシャッターが更に降下し、シャッターに指が挟まれた状態の概略的断面図であり、図６（ｃ）は、図６（ｂ）のシャッターに挟まれた指を引き抜いた状態の概略的断面図である。
【図７】図７は、図１の屋外用古紙回収装置にバッテリーの補助電源として、ソーラーパネルを設置した状態の概略的斜視図である。
【図８】図８は、図１の屋外用古紙回収装置に回収された古紙を取り出す状態の概略的斜視図である。
【図９】図９は、図１の屋外用古紙回収装置の蓋が開いた状態の概略的斜視図である。
【図１０】図１０は、図１の屋外用古紙回収装置が車両に搬送されるために、車両のフックに屋外用古紙回収装置の被係止部が係止される前の状態の概略的斜視図である。
【図１１】図１１（ａ）は、図１０の屋外用古紙回収装置が車両に運び込まれる状態の概略的図であり、図１１（ｂ）は、図１１（ａ）の屋外用古紙回収装置が車両に運び込まれた状態の概略的図である。
【図１２】図１２は、図１１（ｂ）の一部を拡大した概略的図である。
【図１３】図１３は、図１の屋外用古紙回収装置と異なる他の実施例の屋外用古紙回収装置の概略的右側面図である。
【図１４】図１４は、図１３の蓋を開いた状態の屋外用古紙回収装置の概略的右側面図である。
【図１５】図１５は、図１３の屋外用古紙回収装置と異なる他の実施例の屋外用古紙回収装置の概略的斜視図である。
【図１６】図１６は、図１５の屋外用古紙回収装置の概略的一部正面図である。
【図１７】図１７は、図１５の屋外用古紙回収装置と異なる他の実施例の屋外用古紙回収装置の概略的一部正面図である。
【発明を実施するための形態】
【００２６】
本発明の一実施例の屋外用古紙回収装置を図面を参照して説明する。
図１及び図３において、Ｃは屋外用古紙回収装置で、屋外用古紙回収装置Ｃは、スー
パーの駐車場等の屋外に移動可能に設置されるもので、内部に古紙収納部１ａを有した本
体１と、この本体１の正面に古紙の投入口である略横長矩形形状の古紙投入口部２と、こ
の古紙投入口部２を開閉するシャッター３とを備えている。
屋外用古紙回収装置Ｃで回収される古紙は、例えば、段ボール１２’、新聞紙１３’
、雑誌１４’で、これに対応するために、古紙収納部１１内は、段ボール１２’、新聞紙
１３’、雑誌１４’毎に、収納できるように、図示しない仕切り板で着脱自在に古紙収納
部１１内を仕切るようにしている。
本体１は、例えば、略直方体形状をなし、正面部１１、右側面部１２、左側面部１３
、底面部１４、背面部１５、天井面部１６とからなっている（図１及び図２参照）。
底面部１４には、脚部１４ａ、１４ａ、ローラ１４ｂ、１４ｂ（ローラ１４ｂ、１４
ｂの内、一方のローラ１４ｂは、図示されていない。）。
なお、本体１は、例えば、略直方体形状をなし、更に、具体的に言えば、図２に示す
ように、市販のコンテナの一部を切り欠いた第１部材Ａと、この第１部材Ａを覆う第２部
材Ｂを突き合わせ、該突き合わせ部を溶接等により接合して形成される。
【００２７】
古紙投入口部２は、図１に示すように、略横長矩形形状で、下縁部２１、右縁部２２
、上縁部２３、左縁部２４からなり、下縁部２１の上面を覆う覆い部材４’（図６参照）
は、下縁部２１の素材より柔らかい素材で形成されている。図６に示す５’は、シャッタ
ー３の下端の略全幅に亘って取り付けられたクッション部材で、このクッション部材５’
は、シャッター３の素材より柔らかい素材で形成されている。
古紙投入口２の下縁部２１とシャッター３の下端とで体の部位、例えば、指が挟まれ
ても、図６に示すように、覆い部材４’及びクッション部材５’が、共に柔らかい素材で
形成されているため、衝撃が緩和されると共に、覆い部材４’とクッション部材５’に挟
まれても、挟まれた部位を容易に離脱することができる[図６（ａ）（ｂ）（ｃ）参照]。
また、覆い部材４’の厚みｔとクッション部材５’の厚みＴとは、ｔ＜Ｔの関係にあ
る[図６（ａ）参照]。
なお、シャッター３は、電動モーター（図示せず）により昇降するもので、図示しな
い前記電動モーターの駆動源は、バッテリー４（図５参照）である。このバッテリー４へ
の充電は、商用電源を使って行うことができ、また、バッテリー４への充電の補助として
、例えば、図７に示すソーラーパネル５を使用することもできる。
シャッター３の開閉は、電動モーター（図示せず）により昇降し、前記電動モーター
（図示せず）のオン、オフは、通常、タイマー６（図５に示すタイマー６は、電動モータ
ーの動作時間を制御するものである。）により、例えば、朝、シャッター３を開け、夜間
、防犯、防火のために、シャッター３を閉じるように、自動開閉するようにコントロール
するようにして、設置された機器の管理の負担の軽減化を図っている。
また、シャッター３の開閉動作はタイマー６（図５参照）によるが、このタイマー６
（図５参照）によるコントロールを強制的に解除するには、強制開閉補助スイッチ７を押
しながら、開スイッチ８、停止スイッチ９（強制開閉補助スイッチ７及び停止スイッチ９
の両方を押すことにより、電動モーターの動作を停止するスイッチの機能を発揮する。）
、閉スイッチ１０の内のいずれかのスイッチを押すことにより行うことができる。
例えば、シャッター３が閉じている場合、強制開閉補助スイッチ７と開スイッチ８を
押せば、シャッター３が開くように動作し、
シャッター３が動作している場合、強制開閉補助スイッチ７と停止スイッチ９を押せ
ば、シャッター３が停止し、
シャッター３が開こうとしている場合、強制開閉補助スイッチ７と閉スイッチ１０を
押せば、シャッター３が閉じるように動作することとなる。
また、シャッター３は、降下中に障害物に当たると、図示しない制御手段により、上
昇し、その後、下降し、シャッター３の下降中、再度、障害物に当たると、上昇し、その
後、停止するようになっている。
なお、シャッター３の昇降中、注意を喚起するために、「シャッターが開閉します。
ご注意下さい。」と音声を発すると共に、ランプ２００（図１参照）を点滅させるように
している。
【００２８】
また、図５に示す天井面部１６には、天井面部１６の正面部１１に近い側にシャッタ
ー３を巻き取る巻取部３１（図５参照）を収納する巻取部収納体３２が設けられている。
正面部１１の高さＨは、背面部１５の高さｈより高く、天井面部１６は天井面部１６
の正面部１２に近い側から天井面部１６の正面部１２に遠い側に向かって下がるように傾
斜（下り勾配）している。
そのため、天井面部１６への雨水は、背面部１５側に向かって流れ、しかも、巻取部
収納体３２が雨風を遮るため、古紙投入口部２へ投入する投入者へ雨風があたるのを防ぐ
ことができるようになっている。
なお、図４に示す１４ａは水排出用の穴である。
【００２９】
また、バッテリー４（図５参照）を収納するバッテリー収納部４０は、本体１の右側
面部１２から本体１の内方に張り出す張出部５０（図４、図５及び図１２参照）内であっ
て、右側面部１２から突出しないように設けられている。
また、Ｒ１は、右側面部１２に垂直方向に設けられた第１の垂直リブで、Ｒ２は、右
側面部１２に垂直方向に設けられた第２の垂直リブで、第１の垂直リブＲ１と第２の垂直
リブＲ２は、略平行となっている。
Ｒ３は水平リブで、水平リブＲ３は、水平方向であって、第１の垂直リブＲ１と第２
の垂直リブＲ２とを接続するものである。
張出部５０が本体１の内方に張り出すため、右側面部１２が強度的に弱くなるため、
第１の垂直リブＲ１、第２の垂直リブＲ２及び水平リブＲ３により、右側面部１２の強度
を補強するようにしている。
バッテリー収納部４０は、第１の垂直リブＲ１と第２の垂直リブＲ２と水平リブＲ３
とで囲まれた右側面部１２から本体１の内方に張り出す張出部５０内であって、第１の垂
直リブＲ１、第２の垂直リブＲ２及び水平リブＲ３から突出しないように設けられ、更に
、具体的に言えば、バッテリー収納部４０は、開閉する蓋４０ａを備えた箱体４０ｂ（図
５参照）に収納されている。つまり、バッテリー収納部４０は、開閉自在な蓋４０ａを備
えた箱体４０ｂで形成されている。
なお、張出部５０内の底部には、複数の突起Ｔ１、Ｔ２が設けられ、この複数の突起
Ｔ１、Ｔ２の上に箱体４０ｂが載置され、雨水が箱体４０ｂ内部へ侵入するのを防ぐよう
にしている。
そして、箱体４０ｂの蓋４０ａの閉時、蓋４０ａが第１の垂直リブＲ１、第２の垂直
リブＲ２及び水平リブＲ３から突出しないように設けられている。
また、図９、図１０及び図１２に示すＨは、右側面部１２の水平リブＲ３の上であっ
て、水平リブＲ３より突出する被係止部で、この被係止部Ｈが水平リブＲ３より突出させ
るようにしてある（図１０及び図１２参照）。
これは、車両１００のリフトアーム１０１の先端に設けたフックＦで被係止部Ｈに係
止させた場合、リフトアーム１０１によりバッテリー収納部４０が損傷されるのを防ぐた
めである（図１２参照）。
また、図７及び図８に示す左側面部１３は、回収した古紙（段ボール１２’、新聞紙
１３’、雑誌１４’）を本体１から排出する開閉扉となっている。
【００３０】
従って、上述した屋外用古紙回収装置Ｃをスーパーの駐車場等の屋外に設置した場合
（図１参照）、朝、タイマー６にセットされた時間が経過すると、シャッター３が自動的
に上昇し、古紙投入口部２が開状態となる。投入者は、古紙（段ボール１２、新聞紙１３
、雑誌１４）を古紙投入口部２へ、図示しない仕切板で仕切られた場所に従って投入して
いく。
その際、本体１は正面の略横長矩形形状の古紙投入口部２を除いた周囲の部位は、覆
われているため、本体１内への雨の侵入を防ぐと共に、古紙収納部１１内の古紙が風によ
り本体１外へ飛散されることを防止することができる。
夜、タイマー６にセットされた時間が経過すると、シャッター３が自動的に下降し、
古紙投入口部２が閉状態となる。
つまり、図５に示す制御手段３００は、セットされたタイマー６により、設定された
時間に電動モーター（図示せず）を動作させ、シャッター３を上昇させて古紙投入口部２
を開とし、この古紙投入口部２の開状態を所定時間保持し、該所定時間経過後、電動モー
ター（図示せず）を動作させ、シャッター３を下降させて古紙投入口部２を閉とするよう
に制御する。
このように、シャッター３を自動開閉して、夜間の防犯・防火対策を行うことができ
るため、スーパーの駐車場等の管理の軽減化を図ることができる。
なお、屋外用古紙回収装置Ｃ内が古紙で満杯になると、スーパーの駐車場に空の屋外
用古紙回収装置Ｃを搭載した車両１００を呼び寄せ、空の屋外用古紙回収装置Ｃを車両１
００から下ろした後、満杯になった屋外用古紙回収装置Ｃを搬送するために、図１０に示
すように、車両１００のリフトアーム１０１の先端に設けたフックＦが満杯になった屋外
用古紙回収装置Ｃの被係止部Ｈに係止するように作動させる。
係止後、図１１に示すように、リフトアーム１０１により車両１００の荷台側へ引き
寄せ、車両１００にて屋外用古紙回収装置Ｃを運搬するようにしている。
【００３１】
なお、本実施例においては、右側面部１２に、張出部５０、バッテリー収納部４０、
第１の垂直リブＲ１、第２の垂直リブＲ２、水平リブＲ３、被係止部Ｈをそれぞれ設け、
左側面部１３に回収した古紙を本体１から排出する開閉扉を設けるようにしたが、本願発
明にあっては、図示しないが、逆に、右側面部１２に回収した古紙を本体１から排出する
開閉扉を設け、左側面部１３に、張出部５０、バッテリー収納部４０、第１の垂直リブＲ
１、第２の垂直リブＲ２、水平リブＲ３、被係止部Ｈをそれぞれ設けるようにしても良い
。
【００３２】
また、本実施例においては、電動モーター（図示せず）により昇降するシャッター３
の駆動源を本体１内に設けたバッテリー４としたが、本願発明にあってはこれに限らず、
スーパーの駐車場等の屋外に設置された商用電源を直接利用して、電動モーター（図示せ
ず）を動作させ、シャッター３を昇降するようにしても良い（図１３及び図１４参照）。
【００３３】
即ち、図１３及び図１４記載の実施例において、上述の実施例（図１乃至図１２）と
異なるのは、バッテリーがなく、スーパーの駐車場等の屋外（本体１の外）に設置された
商用電源に接続するプラグＰがある点である。
シャッター３の駆動源は前記電動モーターであり、この電動モーターの駆動源は商用
電源であり、前記電動モーターは制御機器により制御される。この制御機器は、開閉自在
な蓋４０’ａを備えた箱体４０’ｂで形成された制御機器収納部４０’に収納されている
。
この制御機器収納部４０’は、第１の垂直リブＲ１と第２の垂直リブＲ２と水平リブ
Ｒ３とで囲まれた一方の側面部（本実施例では、右側面部１２）から本体１の内方に張り
出す張出部５０（図４参照）内であって、第１の垂直リブＲ１、第２の垂直リブＲ２及び
水平リブＲ３から突出しないように設けられている。
制御機器収納部４０’に収納される制御機器は、シャッター３の駆動源である前記電
動モーターの動作時間を制御するタイマー６、前記電動モーターの動作を停止するスイッ
チ（上述の実施例と同様の強制開閉補助スイッチ７及び停止スイッチ９の両方を押すこと
により、前記電動モーターの動作を停止するスイッチの機能を発揮する。）、開スイッチ
８、閉スイッチ１０である。
なお、本実施例においては、右側面部１２に、張出部５０、制御機器収納部４０’、
第１の垂直リブＲ１、第２の垂直リブＲ２、水平リブＲ３、被係止部Ｈをそれぞれ設け、
左側面部１３に回収した古紙を本体１から排出する開閉扉を設けるようにしたが、本願発
明にあっては、図示しないが、逆に、右側面部１２に回収した古紙を本体１から排出する
開閉扉を設けるようにし、左側面部１３に、張出部５０、制御機器収納部４０’、第１の
垂直リブＲ１、第２の垂直リブＲ２、水平リブＲ３、被係止部Ｈをそれぞれ設けるように
しても良い。
また、本実施例（図１３及び図１４）においては、上述の実施例（図１乃至図１２）
と同一部分に同一符号を付して、その説明を省略している。    
【００３４】
また、図１乃至図１２記載の実施例においては、開閉自在な蓋４０ａを備えた箱体４０ｂを本体１に、図１３及び図１４記載の実施例においては、開閉自在な蓋４０’ａを備えた箱体４０’ｂを本体１に、それぞれ設けるようにしたが、
本願発明にあっては、これに限らず、図１乃至図１２記載の開閉自在な蓋４０ａを備えた箱体４０ｂを本体１の外に、図１３及び図１４記載の開閉自在な蓋４０’ａを備えた箱体４０’ｂを本体１の外に、それぞれ設けるようにしても良い（図１５乃至図１７）。
【００３５】
即ち、本実施例（図１５乃至図１７）においては、上述の実施例（図１〜図１４）と同一部分に同一符号を付して、その説明を一部省略するが、
シャッター３は上述の実施例と同様、本体１内に設けられた電動モーター（図示せず）により昇降する。この電動モーター（図示せず）を制御する後述する制御機器及び前記電動モーター（図示せず）の駆動源（例えば、バッテリー４）は、本体１の外に設けられている。
そして、本体１内に設けられた前記電動モーター（図示せず）と本体１の外に設けられた駆動源（例えば、バッテリー４）とは、駆動用リード線（駆動用ケーブル)により接続され、また、本体１内に設けられた前記電動モーター（図示せず）と本体１の外に設けられた後述する制御機器は、制御用リード線（制御用ケーブル)により接続されている。この制御用リード線と前記駆動用リード線とは、リード線（ケーブル)Ｌ内に収められている。なお、リード線Ｌは、本体１の外側に位置する部位のみ図示し、本体１内のリード線（ケーブル)は、図示されていない。
前記駆動用リード線及び前記制御用リード線の中途には、コネクターＣが介在され、
前記制御機器及び前記電動モーター（図示せず）の駆動源（例えば、バッテリー４）と本体１とはコネクターＣを介して分離可能となっている。
そのため、本実施例（図１５〜図１７）の屋外用古紙回収装置Ｃにあっては、上述の実施例（図１乃至図１２）のように、制御機器及びバッテリー４を本体１毎に必要でないと共に、屋外用古紙回収装置Ｃの移動に伴う制御機器及びバッテリー４の損傷、故障等をも防ぐことができる。
【００３６】
図１５に示す箱体４０ｂ内には、バッテリー４、上記した制御機器が収納されている。該制御機器は、例えば、図１６に示すように、シャッター３の駆動源である電動モーター（図示せず）の動作時間を制御するタイマー６、前記電動モーター（図示せず）の動作を停止するスイッチ[上述の実施例と同様の強制開閉補助スイッチ７及び停止スイッチ９の両方を押すことにより、前記電動モーター（図示せず）の動作を停止するスイッチの機能を発揮する。]、開スイッチ８、閉スイッチ１０等である。
また、箱体４０ｂを本体１の外に設けたことに伴い、上述の実施例（図１〜図１４）に記載した水平リブＲ３は、必ずしも必要とならない。
従って、本体１を移動するときには、コネクターＣを本体１から切り離すことができる。
また、図１５及び図１６記載の突起Ｔは、単に立設するだけでも良く、場合により突起Ｔの先端に図示しない回転体（例えば、車）を設けて、移動を容易にしても良い。
また、バッテリー４への蓄電は、図１５及び図１６に示すように、ソーラーパネル５を介しても良く、また、図１７記載のように、商用電源に接続されたコンセントＣ１にバッテリー４に接続されたプラグＰを接続するようにしても良い。
また、場合により、図１７記載のバッテリー４を省略し、シャッター３の駆動源である電動モーター（図示せず）の動作時間を制御するタイマー６、前記電動モーター（図示せず）の動作を停止するスイッチ（上述の実施例と同様の強制開閉補助スイッチ７及び停止スイッチ９の両方を押すことにより、前記電動モーターの動作を停止するスイッチの機能を発揮する。）、開スイッチ８、閉スイッチ１０等の制御機器の電源及び前記電動モーター（図示せず）の駆動源を商用電源のみとしても良い。
【符号の説明】
【００３７】
Ｃ      屋外用古紙回収装置             
１      本体
１ａ    古紙収納部
２      古紙投入口部
３      シャッター
【図１】
2012051728.tif 000003
【図２】
2012051728.tif 000004
【図３】
2012051728.tif 000005
【図４】
2012051728.tif 000006
【図５】
2012051728.tif 000007
【図６】
2012051728.tif 000008
【図７】
2012051728.tif 000009
【図８】
2012051728.tif 000010
【図９】
2012051728.tif 000011
【図１０】
2012051728.tif 000012
【図１１】
2012051728.tif 000013
【図１２】
2012051728.tif 000014
【図１３】
2012051728.tif 000015
【図１４】
2012051728.tif 000016
【図１５】
2012051728.tif 000017
【図１６】
2012051728.tif 000018
【図１７】
2012051728.tif 000019